(57)【特許請求の範囲】
【請求項１】
ビデオデータ、オーディオデータ及び時間情報を含むＡＶデータを外部に出力する撮像装置と、前記ＡＶデータを外部から入力する記録装置とを含む記録システムであって、
前記撮像装置は、
前記ＡＶデータを第１の記録媒体に記録する第１の記録手段と、
前記ＡＶデータと、前記ＡＶデータの時間情報の変更を禁止するための制御情報とを外部に出力する第１の通信手段と
を有し、
前記記録装置は、
前記ＡＶデータと、前記制御情報とを外部から入力する第２の通信手段と、
前記ＡＶデータを第２の記録媒体に記録する第２の記録手段と
を有し、
前記第１の記録手段が前記ＡＶデータを前記第１の記録媒体に記録している場合において、前記第１の通信手段が前記ＡＶデータを外部に出力する場合、前記第１の通信手段は、前記制御情報を外部に出力し、
前記制御情報が検出された場合、前記第２の記録手段は、前記ＡＶデータの時間情報を変更することなく前記ＡＶデータを前記第２の記録媒体に記録することを特徴とする記録システム。
【請求項２】
前記第１の記録手段が前記ＡＶデータを前記第１の記録媒体に記録していない場合において、前記第１の通信手段が前記ＡＶデータを外部に出力する場合、前記第１の通信手段は、前記制御情報を外部に出力しないようにすることを特徴とする請求項１に記載の記録システム。
【請求項３】
前記制御情報が検出されなかった場合、前記第２の記録手段は、前記ＡＶデータの時間情報を変更することを特徴とする請求項１又は２に記載の記録システム。
【請求項４】
前記第１の通信手段及び前記第２の通信手段は、ＩＥＥＥ１３９４−１９９５規格に準拠した通信手段であることを特徴とする請求項１から３のいずれか１項に記載の記録システム。
【請求項５】
ビデオデータ、オーディオデータ及び時間情報を含むＡＶデータを外部に出力する撮像装置であって、
前記ＡＶデータを記録媒体に記録する記録手段と、
前記ＡＶデータと、前記ＡＶデータの時間情報の変更を禁止するための制御情報とを外部に出力する通信手段と
を有し、
前記記録手段が前記ＡＶデータを前記記録媒体に記録している場合において、前記通信手段が前記ＡＶデータを外部に出力する場合、前記通信手段は、前記制御情報を外部に出力することを特徴とする撮像装置。
【請求項６】
前記記録手段が前記ＡＶデータを前記記録媒体に記録していない場合において、前記通信手段が前記ＡＶデータを外部に出力する場合、前記通信手段は、前記制御情報を外部に出力しないようにすることを特徴とする請求項５に記載の撮像装置。
【請求項７】
前記通信手段は、ＩＥＥＥ１３９４−１９９５規格に準拠した通信手段であることを特徴とする請求項５又は６に記載の撮像装置。
【請求項８】
ビデオデータ、オーディオデータ及び時間情報を含むＡＶデータを外部から入力する記録装置であって、
前記ＡＶデータと、前記ＡＶデータの時間情報の変更を禁止するための制御情報とを外部から入力する通信手段と、
前記ＡＶデータを記録媒体に記録する記録手段と
を有し、
前記制御情報が検出された場合、前記記録手段は、前記ＡＶデータの時間情報を変更することなく前記ＡＶデータを前記記録媒体に記録することを特徴とする記録装置。
【請求項９】
前記制御情報が検出されなかった場合、前記記録手段は、前記ＡＶデータの時間情報を変更することを特徴とする請求項８に記載の記録装置。
【請求項１０】
前記通信手段は、ＩＥＥＥ１３９４−１９９５規格に準拠した通信手段であることを特徴とする請求項８又は９に記載の記録装置。
【発明の詳細な説明】
【０００１】
【発明の属する技術分野】
本発明は、ビデオデータ、オーディオデータ及び時間情報を含むＡＶ（Audio Video）データを外部に出力する撮像装置と、当該ＡＶデータを外部から入力する記録装置とに関する。
【０００２】
【従来の技術】
近年、ＩＥＥＥ１３９４−１９９５規格に準拠したディジタル通信インターフェースを（以下、ＩＥＥＥ１３９４インターフェース）を備えたカメラ一体型ディジタルビデオレコーダ（以下、撮像装置）が開発されている。ＩＥＥＥ１３９４インターフェースを備えた撮像装置では、カメラモードのときに、撮像装置が撮像しているＡＶデータをＩＥＥＥ１３９４インターフェースからディジタル出力することができる。
【０００３】
また、最近では、撮像装置が備えるＩＥＥＥ１３９４インターフェースからディジタル出力されたＡＶデータを記録する外部記録装置が開発されている。
【０００４】
【発明が解決しようとする課題】
しかしながら、従来の外部記録装置では、ＡＶデータの時間情報（例えば、記録時間、記録年月日、記録時分秒等）を変更して記録してしまう場合があった。
【０００５】
そのため、撮像装置の記録媒体に記録しているＡＶデータを途中で外部記録装置の記録媒体に記録する場合、撮像装置の記録媒体に記録されたＡＶデータの時間情報と外部記録装置の記録媒体に記録されたＡＶデータの時間情報との間に不整合が生じるという問題があった。
【０００６】
本発明は、上述の問題にかんがみてなされたものであり、撮像装置の記録媒体に記録されたＡＶデータの時間情報と、外部記録装置の記録媒体に記録されたＡＶデータの時間情報との間に生じる不整合を防止することを目的とする。
【０００７】
【課題を解決するための手段】
本発明に係る記録システムは、ビデオデータ、オーディオデータ及び時間情報を含むＡＶデータを外部に出力する撮像装置と、前記ＡＶデータを外部から入力する記録装置とを含む記録システムであって、前記撮像装置は、前記ＡＶデータを第１の記録媒体に記録する第１の記録手段と、前記ＡＶデータと、前記ＡＶデータの時間情報の変更を禁止するための制御情報とを外部に出力する第１の通信手段とを有し、前記記録装置は、前記ＡＶデータと、前記制御情報とを外部から入力する第２の通信手段と、前記ＡＶデータを第２の記録媒体に記録する第２の記録手段とを有し、前記第１の記録手段が前記ＡＶデータを前記第１の記録媒体に記録している場合において、前記第１の通信手段が前記ＡＶデータを外部に出力する場合、前記第１の通信手段は、前記制御情報を外部に出力し、前記制御情報が検出された場合、前記第２の記録手段は、前記ＡＶデータの時間情報を変更することなく前記ＡＶデータを前記第２の記録媒体に記録することを特徴とする。
【０００８】
本発明に係る撮像装置は、ビデオデータ、オーディオデータ及び時間情報を含むＡＶデータを外部に出力する撮像装置であって、前記ＡＶデータを記録媒体に記録する記録手段と、前記ＡＶデータと、前記ＡＶデータの時間情報の変更を禁止するための制御情報とを外部に出力する通信手段とを有し、前記記録手段が前記ＡＶデータを前記記録媒体に記録している場合において、前記通信手段が前記ＡＶデータを外部に出力する場合、前記通信手段は、前記制御情報を外部に出力することを特徴とする。
【０００９】
本発明に係る記録装置は、ビデオデータ、オーディオデータ及び時間情報を含むＡＶデータを外部から入力する記録装置であって、前記ＡＶデータと、前記ＡＶデータの時間情報の変更を禁止するための制御情報とを外部から入力する通信手段と、前記ＡＶデータを記録媒体に記録する記録手段とを有し、前記制御情報が検出された場合、前記記録手段は、前記ＡＶデータの時間情報を変更することなく前記ＡＶデータを前記記録媒体に記録することを特徴とする。
【００１２】
【発明の実施の形態】
以下、図面を参照して本発明の実施の形態について説明する。
【００１３】
図１は、本実施の形態に係る記録システムを説明する図である。図１において、１００はカメラ一体型ディジタルビデオレコーダ（以下、撮像装置）であり、１２０は撮像装置１００からディジタル出力されたＡＶデータを記録する外部記録装置である。
【００１４】
次に、図１を用いて、本実施の形態に係る撮像装置１００の構成について説明する。図１において、１０１は撮像部、１０２はマイクロフォン、１０３は記録再生部、１０４は記録媒体、１０５は時間情報生成部、１０６は通信部、１０７は操作部、１０８は制御部である。
【００１５】
撮像装置１００は、カメラモードとＶＣＲモードを備える。ユーザは、操作部１０７を操作してカメラモードまたはＶＣＲモードを選択することができる。
【００１６】
カメラモードが選択された場合、制御部１０８は、撮像部１０１とマイクロフォン１０２とを動作させてＡＶデータの撮像を開始し、記録再生部１０３を記録状態または記録一時停止状態とする。このとき、通信部１０６に外部記録装置１２０が接続されている場合、制御部１０８は、記録再生部１０３で生成されたＡＶデータを通信部１０６からディジタル出力する。尚、このモードのとき、ユーザは、操作部１０７を操作して記録再生部１０３を記録状態または記録一時停止状態とすることができる。
【００１７】
また、ＶＣＲモードが選択された場合、制御部１０８は、撮像部１０１とマイクロフォン１０２との動作を停止させ、記録再生部１０３を動作させる。尚、このモードのとき、ユーザは、操作部１０７を操作して記録媒体１０４に記録されたＡＶデータを再生、再生一時停止、早送りまたは巻戻しすることできる。
【００１８】
撮像部１０１は、カメラモードのとき、被写体の光学像を撮像してディジタルビデオデータを生成する。撮像部１０１で生成されたディジタルビデオデータは、記録再生部１０３に供給される。また、マイクロフォン１０２は、カメラモードのとき、外部の音声を集音してディジタルオーディオデータを生成する。マイクロフォン１０２で生成されたディジタルオーディオデータは、記録再生部１０３に供給される。
【００１９】
時間情報生成部２０７は、様々な種類の時間情報（例えば、記録再生部１０３が記録を開始したときからの記録時間を表すタイムコード、記録を開始したときの年月日を表すタイムコード、記録を開始したときの時分秒を表すタイムコード等）を生成する。これらの時間情報は、記録再生部１０３に供給される。
【００２０】
記録再生部１０３は、HD DIGITAL VCR CONFERENCEで策定された家庭用ディジタルＶＣＲ方式（以下、ＤＶ方式）で規定されたデータフォーマット（例えば、ＳＤ（Standard Definition）フォーマット）に準拠したＡＶデータを生成する。このＡＶデータは、撮像部１０１で生成されたディジタルビデオデータと、マイクロフォン１０２で生成されたディジタルオーディオデータと、時間情報生成部２０７で生成された時間情報を含む付加データとを含む。
【００２１】
記録再生部１０３が記録媒体１０４に記録するＡＶデータまたは記録再生部１０３が記録媒体１０４から再生したＡＶデータは、通信部１０６に供給される。
【００２２】
通信部１０６は、ＩＥＥＥ１３９４−１９９５規格に準拠したディジタル通信インターフェースを備える。通信部１０６に外部記録装置１２０が接続されて通信部１０６がディジタル出力可能な状態になった場合、通信部１０６は、所定の通信プロトコル（例えば、ＩＥＣ６１８８３規格に準拠した通信プロトコル）に従って、記録再生部１０３から供給されたＡＶデータをディジタル出力する。
【００２３】
本実施の形態の撮像装置１００が、ＩＥＣ６１８８３規格に準拠した通信プロトコルに従って、５２５−６０方式（ＮＴＳＣ方式）のＳＤフォーマットに準拠したＡＶデータをディジタル出力する手順を、図４を用いて説明する。
【００２４】
まず、通信部１０６は、図４（ａ）及び（ｂ）に示すように、記録再生部１０３から供給された１フレーム分のＡＶデータから１０個のＤＩＦシーケンスを生成する。各ＤＩＦシーケンスは、図４（ｃ）に示すように、ヘッダセクション、サブコードセクション、ＶＡＵＸセクション、オーディオ＆ビデオセクションから構成される。尚、時間情報生成部１０５で生成された時間情報等の付加データは、サブコードセクションに格納され、ディジタルビデオデータとディジタルオーディオデータは、オーディオ＆ビデオセクションに格納されている。
【００２５】
次に、通信部１０６は、図４（ｄ）及び（ｅ）に示すように、各ＤＩＦシーケンスから１５０個のＤＩＦブロックを生成し、６個のＤＩＦブロックごとにアイソクロナスパケットを生成する。各アイソクロナスパケットは、ＩＥＥＥ１３９４−１９９５規格で規定されたアイソクロナス転送方式に従って、１２５μｓごとにディジタル出力される。
【００２６】
また、通信部１０６は、制御部１０８からの指示に従って、ＡＶデータの時間情報を変更して記録することを禁止するための制御情報（以下、変更禁止情報）をＡＶデータに付加する。この変更禁止情報は、図４（ｃ）に示すサブコードセクション内の所定のデータ領域に付加される。つまり、この変更禁止情報は、１フレーム分のＡＶデータごとに付加される。
【００２７】
次に、図１を用いて、本実施の形態に係る外部記録装置１２０の構成について説明する。図１において、１２１は通信部、１２２は記録部、１２３は記録媒体、１２４は操作部、１２５は制御部、１２６は時間情報生成部である。
【００２８】
通信部１２１は、通信部１０６と同様に、ＩＥＥＥ１３９４−１９９５規格に準拠したディジタル通信インターフェースを備える。通信部１２１は、所定の通信プロトコル（例えば、ＩＥＣ６１８８３規格に準拠した通信プロトコル）に従って、撮像装置１００の通信部１０６からディジタル出力されたＡＶデータをディジタル入力する。通信部１２１は、図４（ｅ）に示すアイソクロナスパケットを１２５μｓごとに受信し、図４（ａ）に示すＡＶデータを生成して記録部１２２に供給する。
【００２９】
制御部１２５は、ＡＶデータのサブコードセクションに付加された変更禁止情報を検出する。変更禁止情報が検出された場合、記録部１２２は、通信部１２１から供給されたＡＶデータの時間情報を変更することなく、記録媒体１２３に記録する。それ以外の場合、記録部１２２は、通信部１２１から供給されたＡＶデータの時間情報を時間情報生成部２０７が生成する時間情報に変更して記録媒体１２３に記録する。尚、外部記録装置１２０が記録媒体１２３に記録するＡＶデータのデータフォーマットは、撮像装置１００が記録媒体１０４に記録するＡＶデータのデータフォーマットと同じである。また、本実施の形態において、記録媒体１２３は、磁気ディスク、光ディスク、ハードディスク等の記録媒体である。
【００３０】
次に、図２を用いて、本実施の形態に係る撮像装置１００の処理手順について説明する。尚、制御部１０８が備える記憶媒体には、制御部１０８が備えるマイクロコンピュータに図２に示す処理手順を実行させるための制御プログラムが格納されている。
【００３１】
まず、ステップＳ２０１において、制御部１０８は、通信部１０６がディジタル出力可能な状態になったか否かを判別する。外部記録装置１２０が通信部１０６に接続された場合、通信部１０６はディジタル出力可能な状態になったことを制御部１０８に通知する。
【００３２】
次に、ステップＳ２０２において、制御部１０８は、撮像装置１００の動作モードがカメラモードであるか否かを判別する。カメラモードである場合には、ステップＳ２０３に進む。
【００３３】
ステップＳ２０３において、制御部１０８は、記録再生部１０３がＡＶデータを記録媒体１０４に記録しているか否かを判別する。ＡＶデータを記録媒体１０４に記録している場合には、ステップＳ２０４に進み、そうでない場合には、ステップＳ２０５に進む。
【００３４】
ステップＳ２０４において、制御部１０８は、通信部１０６を制御し、記録再生部１０３から供給されたＡＶデータをディジタル出力する。このとき、通信部１０６は、変更禁止情報をＡＶデータに付加してディジタル出力する。
【００３５】
一方、ステップＳ２０５において、制御部１０８は、通信部１０６を制御し、記録再生部１０３から供給されたＡＶデータをディジタル出力する。このとき、通信部１０６は、変更禁止情報をＡＶデータに付加することなくディジタル出力する。
【００３６】
次に、図３を用いて、本実施の形態に係る外部記録装置１２０の処理手順について説明する。尚、制御部１２５が備える記憶媒体には、制御部１２５が備えるマイクロコンピュータに図３に示す処理手順を実行させるための制御プログラムが格納されている。
【００３７】
ステップＳ３０１において、通信部１２１は、撮像装置１００からディジタル出力されたＡＶデータをディジタル入力する。ディジタル入力されたＡＶデータは、記録部１２２に供給される。
【００３８】
ステップＳ３０２において、制御部１２５は、ディジタル入力されたＡＶデータから変更禁止情報を検出する。変更禁止情報が検出された場合には、ステップＳ３０３に進み、それ以外の場合には、ステップＳ３０４に進む。
【００３９】
ステップＳ３０３において、制御部１２５は、記録部１２２を制御し、通信部１２１から供給されたＡＶデータを記録媒体１２３に記録する。このとき、記録部１２２は、ＡＶデータの時間情報を時間情報生成部１２６が生成する時間情報に変更することなく記録する。これにより、記録媒体１２３に記録されるＡＶデータの時間情報は、撮像装置１００の記録媒体に記録されるＡＶデータの時間情報と同一となる。
【００４０】
ステップＳ３０４において、制御部１２５は、記録部１２２を制御し、通信部１２１から供給されたＡＶデータを記録媒体１２３に記録する。このとき、記録部１２２は、ＡＶデータの時間情報を時間情報生成部１２６が生成する時間情報に変更して記録する。これにより、記録媒体１２３に記録されるＡＶデータの時間情報は、撮像装置１００の記録媒体に記録されるＡＶデータの時間情報と異なる。
【００４１】
以上説明したように、本実施の形態の撮像装置１００によれば、記録媒体１０４に記録しているＡＶデータをディジタル出力する場合には、そのＡＶデータに上述の変更禁止情報を付加してディジタル出力することができる。また、本実施の形態の外部記録装置１２０によれば、ディジタル入力したＡＶデータに上述の変更禁止情報が付加されている場合には、そのＡＶデータの時間情報を変更せずに記録媒体１２３に記録することができる。このような構成を採用することにより、撮像装置１００の記録媒体１０４に記録しているＡＶデータを外部記録装置１２０の記録媒体１２３に切り替えて記録する場合であっても、撮像装置１００の記録媒体１０４に記録されたＡＶデータの時間情報と外部記録装置１２０の記録媒体１２３に記録されたＡＶデータの時間情報との間に生じる不整合を防止することができる。
【００４２】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明は、その主要な特徴から逸脱することなく、様々な形で実施することができる。
【００４３】
例えば、本実施の形態に係るＡＶデータのデータフォーマットは、ＤＶ方式に準拠したデータフォーマットに限るものではない。ＭＰＥＧ２のトランスポートストリーム方式に準拠したデータフォーマットであってもよい。
【００４４】
また、上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００４５】
また、この場合、上記ソフトウェアのプログラムコード自体が上述した実施の形態の機能を実現することになり、そのプログラムコード自体、及びそのプログラムコードをコンピュータに供給するための手段、例えばかかるプログラムコードを格納した記録媒体は本発明を構成する。かかるプログラムコードを記憶する記録媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００４６】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００４７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００４８】
【発明の効果】
本発明によれば、撮像装置の記録媒体に記録されたＡＶデータの時間情報と、外部記録装置の記録媒体に記録されたＡＶデータの時間情報との間に生じる不整合を防止することができる。
【図面の簡単な説明】
【図１】本実施の形態に係る記録システムを説明するブロック図である。
【図２】本実施の形態に係る撮像装置の処理動作を説明するフローチャートである。
【図３】本実施の形態に係る外部記録装置の処理動作を説明するフローチャートである。
【図４】本実施の形態に係る撮像装置からディジタル出力されるＡＶデータを説明する図である。
【符号の説明】
１００  カメラ一体型ディジタルビデオレコーダ
１０１  撮像部
１０２  マイクロフォン
１０３  記録再生部
１０４  記録媒体
１０５  時間情報生成部
１０６  通信部
１０７  操作部
１０８  制御部
１２０  外部記録装置
１２１  通信部
１２２  記録部
１２３  記録媒体
１２４  操作部
１２５  制御部
１２６  時間情報生成部
【図１】
0004366017.tif 000002
【図２】
0004366017.tif 000003
【図３】
0004366017.tif 000004
【図４】
0004366017.tif 000005